(57)【要約】【課題】他の画質劣化を抑制しつつ二重像を低減できる技術を提供する。【解決手段】本発明の表示装置は、発光手段と、前記発光手段から発せられた光を入力画像データに基づく透過率で透過する第１パネルと、前記発光手段から発せられて前記第１パネルを透過した光を前記入力画像データに基づく透過率で透過する第２パネルと、を有し、画面に対する視線方向の角度である視線角の増加による前記第２パネルの透過率の低下は、前記視線角の増加による前記第１パネルの透過率の低下よりも大きい。【選択図】図１
2019086754.tif 000002
【特許請求の範囲】
【請求項１】
発光手段と、
前記発光手段から発せられた光を入力画像データに基づく透過率で透過する第１パネルと、
前記発光手段から発せられて前記第１パネルを透過した光を前記入力画像データに基づく透過率で透過する第２パネルと、
を有し、
画面に対する視線方向の角度である視線角の増加による前記第２パネルの透過率の低下は、前記視線角の増加による前記第１パネルの透過率の低下よりも大きい
ことを特徴とする表示装置。
【請求項２】
前記視線角の増加による前記第１パネルの透過率の低下の度合いである第１度合いと、前記視線角の増加による前記第２パネルの透過率の低下の度合いである第２度合いとを設定する設定手段、をさらに有する
ことを特徴とする請求項１に記載の表示装置。
【請求項３】
前記設定手段は、ユーザ操作に基づいて、前記第１度合いと前記第２度合いを設定することを特徴とする請求項２に記載の表示装置。
【請求項４】
前記設定手段は、前記入力画像データに基づいて、前記第１度合いと前記第２度合いを設定する
ことを特徴とする請求項２または３に記載の表示装置。
【請求項５】
前記設定手段は、前記入力画像データの最大輝度または平均輝度が低いほど大きい第２度合いを設定する
ことを特徴とする請求項４に記載の表示装置。
【請求項６】
前記設定手段は、前記入力画像データの空間周波数が高いほど大きい第２度合いを設定する
ことを特徴とする請求項４に記載の表示装置。
【請求項７】
前記設定手段は、前記入力画像データの各画素について個別に、前記入力画像データの輝度が低いほど大きい第２度合いを設定する
ことを特徴とする請求項４に記載の表示装置。
【請求項８】
前記設定手段は、前記画面の領域を構成する複数の分割領域のそれぞれについて個別に、前記第１度合いと前記第２度合いを設定する
ことを特徴とする請求項２〜６のいずれか１項に記載の表示装置。
【請求項９】
前記視線角の増加による前記第２パネルの透過率の低下が前記視線角の増加による前記第１パネルの透過率の低下よりも大きいという条件を満たすように前記入力画像データの各階調値を変換する第１処理を行うことにより、第１処理画像データを生成する第１変換手段と、
前記条件を満たすように前記入力画像データの各階調値を変換する第２処理を行うことにより、第２処理画像データを生成する第２変換手段と、
をさらに有し、
前記第１パネルは、前記発光手段から発せられた光を前記第１処理画像データに基づく透過率で透過し、
前記第２パネルは、前記発光手段から発せられて前記第１パネルを透過した光を前記第
２処理画像データに基づく透過率で透過する
ことを特徴とする請求項１〜８のいずれか１項に記載の表示装置。
【請求項１０】
前記第１処理は、第１のγ値を用いたγ変換処理を含み、
前記第２処理は、第２のγ値を用いたγ変換処理を含む
ことを特徴とする請求項９に記載の表示装置。
【請求項１１】
前記第１処理は、第１の係数を前記入力画像データの各階調値に乗算する処理を含み、
前記第２処理は、第２の係数を前記入力画像データの各階調値に乗算する処理を含む
ことを特徴とする請求項９に記載の表示装置。
【請求項１２】
前記第１の係数は、前記第２の係数の逆数である
ことを特徴とする請求項１１に記載の表示装置。
【請求項１３】
発光手段と、
前記発光手段から発せられた光を透過する第１パネルと、
前記発光手段から発せられて前記第１パネルを透過した光をさらに透過して画面に画像を表示する第２パネルと、
前記第１パネルおよび前記第２パネルの光の透過率を、入力画像データに基づいて制御する制御手段と、
を有し、
前記第１パネルおよび前記第２パネルのそれぞれでは、前記画面に垂直な方向における光の透過率である垂直透過率が高いほど、前記画面に垂直な方向に対して所定の角度を有する方向における光の透過率である斜方透過率の、前記垂直透過率に対する比率が低く、
前記制御手段は、前記第２パネルの垂直透過率の前記第２パネルの垂直透過率の最大値に対する比率が、前記第１パネルの垂直透過率の前記第１パネルの垂直透過率の最大値に対する比率よりも高くなるように、前記第１パネルおよび前記第２パネルの光の透過率を制御する
ことを特徴とする表示装置。
【請求項１４】
発光手段と、
前記発光手段から発せられた光を入力画像データに基づく透過率で透過する第１パネルと、
前記発光手段から発せられて前記第１パネルを透過した光を前記入力画像データに基づく透過率で透過する第２パネルと、
を有する表示装置の制御方法であって、
前記入力画像データを取得するステップと、
画面に対する視線方向の角度である視線角の増加による前記第２パネルの透過率の低下が、前記視線角の増加による前記第１パネルの透過率の低下よりも大きいという条件を満たすように、前記第１パネルと前記第２パネルを制御するステップと、
を有することを特徴とする制御方法。
【請求項１５】
発光手段と、
前記発光手段から発せられた光を透過する第１パネルと、
前記発光手段から発せられて前記第１パネルを透過した光をさらに透過して画面に画像を表示する第２パネルと、
を有する表示装置の制御方法であって、
入力画像データを取得するステップと、
前記第１パネルおよび前記第２パネルの光の透過率を、前記入力画像データに基づいて制御するステップと、
を有し、
前記第１パネルおよび前記第２パネルのそれぞれでは、前記画面に垂直な方向における光の透過率である垂直透過率が高いほど、前記画面に垂直な方向に対して所定の角度を有する方向における光の透過率である斜方透過率の、前記垂直透過率に対する比率が低く、
前記第２パネルの垂直透過率の前記第２パネルの垂直透過率の最大値に対する比率が、前記第１パネルの垂直透過率の前記第１パネルの垂直透過率の最大値に対する比率よりも高くなるように、前記第１パネルおよび前記第２パネルの光の透過率が制御される
ことを特徴とする制御方法。
【請求項１６】
請求項１４または１５に記載の制御方法の各ステップをコンピュータに実行させるためのプログラム。
【請求項１７】
発光手段と、
前記発光手段から発せられた光を入力画像データに基づく透過率で透過する第１パネルと、
前記発光手段から発せられて前記第１パネルを透過した光を前記入力画像データに基づく透過率で透過する第２パネルと、
前記第１パネルに関するパネル温度を検出する検出手段と、
検出した前記パネル温度に応じて、前記第１パネルの透過率と前記第２パネルの透過率とを設定する設定手段と、
を有することを特徴とする表示装置。
【請求項１８】
前記設定手段は、前記パネル温度の増加に応じて、前記第１パネルの透過率が高まり、前記第２パネルの透過率が低下するように、前記第１パネルの透過率と前記第２パネルの透過率とを設定する
ことを特徴とする請求項１７に記載の表示装置。
【請求項１９】
発光手段と、
前記発光手段から発せられた光を入力画像データに基づく透過率で透過する第１パネルと、
前記発光手段から発せられて前記第１パネルを透過した光を前記入力画像データに基づく透過率で透過する第２パネルと、
前記第１パネルに関するパネル温度を検出する検出手段と、
前記入力画像データから、二重像が視認されやすいかを判定する二重像判定手段と、
検出した前記パネル温度および前記二重像判定手段の判定結果に応じて、前記第１パネルの透過率と前記第２パネルの透過率とを設定する設定手段と、
を有することを特徴とする表示装置。
【請求項２０】
前記二重像判定手段は、前記入力画像データ中の空間周波数特性に基づいて、二重像が視認されやすいかを判定する
ことを特徴とする請求項１９に記載の表示装置。
【発明の詳細な説明】
【技術分野】
【０００１】
本発明は、表示装置およびその制御方法に関する。
【背景技術】
【０００２】
近年、液晶表示装置の高コントラスト表示を実現するための技術として、２枚の液晶パネルを重ね合わせて用いる二重液晶技術が実用化されつつある。各液晶パネルは２枚のガラス板で液晶層を挟んだ構造を有するため、２枚の液晶パネルにそれぞれ対応する２枚の液晶層の間にスペースが生じる。このため、各液晶パネルの透過率を同じ透過率に制御すると、画面を斜めから見たときに、背面側の液晶パネルに表示された画像が前面側の液晶パネルに表示された画像に重ならず、二重像が見えてしまう。
【０００３】
上記二重像を低減するための技術として、背面側の液晶パネルに表示される画像の空間周波数を低減する技術が提案されている。しかしながら、そのような技術を用いると、画面に表示された画像（表示画像）にハロー現象が発生したり、表示画像のコントラストが低下したりする。ハロー現象は、明部の周囲が明るくぼやける現象である。
【０００４】
これらの課題を解決するための技術として、入力画像の内容（テキストやグラフィックのパターン、自然画像、等）に応じて広視野角モードと狭視野角モードの間で表示モードを切り替える技術が提案されている（特許文献１）。狭視野角モードでのみ、背面側の液晶パネルに表示される画像の空間周波数が低減される。
【０００５】
他の技術として、入力画像の最大透過率（最大階調値）を検出し、背面側の液晶パネルの透過率を、検出した最大階調値以上の透過率に制御する技術が提案されている（特許文献２）。
【先行技術文献】
【特許文献】
【０００６】
【特許文献１】特開２０１７−２６９９２号公報
【特許文献２】特開２０１３−１５６６５８号公報
【発明の概要】
【発明が解決しようとする課題】
【０００７】
しかしながら、特許文献１に開示の技術では、入力画像にテキストと自然画像が混在している場合において、広視野角モードと狭視野角モードのどちらの表示モードを設定しても、二重像の低減と高コントラスト表示との両立を実現できない。特許文献２に開示の技術では、背面側の液晶パネルの透過率が高められる。そのため、背面側の液晶パネルに表示される画像の空間周波数を低減すると、ハロー現象がより顕著に現れる。そして、背面側の液晶パネルに表示される画像の空間周波数を低減しないと、二重像がより顕著に現れる。このように、従来技術では、二重像の低減と他の画質劣化（ハロー現象の発生、コントラストの低下、等）とを両立できない。
【０００８】
本発明は、他の画質劣化を抑制しつつ二重像を低減できる技術を提供することを目的とする。
【課題を解決するための手段】
【０００９】
本発明の第１の態様は、
発光手段と、
前記発光手段から発せられた光を入力画像データに基づく透過率で透過する第１パネルと、
前記発光手段から発せられて前記第１パネルを透過した光を前記入力画像データに基づく透過率で透過する第２パネルと、
を有し、
画面に対する視線方向の角度である視線角の増加による前記第２パネルの透過率の低下は、前記視線角の増加による前記第１パネルの透過率の低下よりも大きい
ことを特徴とする表示装置である。
【００１０】
本発明の第２の態様は、
発光手段と、
前記発光手段から発せられた光を透過する第１パネルと、
前記発光手段から発せられて前記第１パネルを透過した光をさらに透過して画面に画像を表示する第２パネルと、
前記第１パネルおよび前記第２パネルの光の透過率を、入力画像データに基づいて制御する制御手段と、
を有し、
前記第１パネルおよび前記第２パネルのそれぞれでは、前記画面に垂直な方向における光の透過率である垂直透過率が高いほど、前記画面に垂直な方向に対して所定の角度を有する方向における光の透過率である斜方透過率の、前記垂直透過率に対する比率が低く、
前記制御手段は、前記第２パネルの垂直透過率の前記第２パネルの垂直透過率の最大値に対する比率が、前記第１パネルの垂直透過率の前記第１パネルの垂直透過率の最大値に対する比率よりも高くなるように、前記第１パネルおよび前記第２パネルの光の透過率を制御する
ことを特徴とする表示装置である。
【００１１】
本発明の第３の態様は、
発光手段と、
前記発光手段から発せられた光を入力画像データに基づく透過率で透過する第１パネルと、
前記発光手段から発せられて前記第１パネルを透過した光を前記入力画像データに基づく透過率で透過する第２パネルと、
を有する表示装置の制御方法であって、
前記入力画像データを取得するステップと、
画面に対する視線方向の角度である視線角の増加による前記第２パネルの透過率の低下が、前記視線角の増加による前記第１パネルの透過率の低下よりも大きいという条件を満たすように、前記第１パネルと前記第２パネルを制御するステップと、
を有することを特徴とする制御方法である。
【００１２】
本発明の第４の態様は、
発光手段と、
前記発光手段から発せられた光を透過する第１パネルと、
前記発光手段から発せられて前記第１パネルを透過した光をさらに透過して画面に画像を表示する第２パネルと、
を有する表示装置の制御方法であって、
入力画像データを取得するステップと、
前記第１パネルおよび前記第２パネルの光の透過率を、前記入力画像データに基づいて制御するステップと、
を有し、
前記第１パネルおよび前記第２パネルのそれぞれでは、前記画面に垂直な方向における
光の透過率である垂直透過率が高いほど、前記画面に垂直な方向に対して所定の角度を有する方向における光の透過率である斜方透過率の、前記垂直透過率に対する比率が低く、
前記第２パネルの垂直透過率の前記第２パネルの垂直透過率の最大値に対する比率が、前記第１パネルの垂直透過率の前記第１パネルの垂直透過率の最大値に対する比率よりも高くなるように、前記第１パネルおよび前記第２パネルの光の透過率が制御される
ことを特徴とする制御方法である。
【００１３】
本発明の第５の態様は、上述した制御方法の各ステップをコンピュータに実行させるためのプログラムである。
【００１４】
本発明の第６の態様は、
発光手段と、
前記発光手段から発せられた光を入力画像データに基づく透過率で透過する第１パネルと、
前記発光手段から発せられて前記第１パネルを透過した光を前記入力画像データに基づく透過率で透過する第２パネルと、
前記第１パネルに関するパネル温度を検出する検出手段と、
検出した前記パネル温度に応じて、前記第１パネルの透過率と前記第２パネルの透過率とを設定する設定手段と、
を有することを特徴とする表示装置である。
【００１５】
本発明の第７の態様は、
発光手段と、
前記発光手段から発せられた光を入力画像データに基づく透過率で透過する第１パネルと、
前記発光手段から発せられて前記第１パネルを透過した光を前記入力画像データに基づく透過率で透過する第２パネルと、
前記第１パネルに関するパネル温度を検出する検出手段と、
前記入力画像データから、二重像が視認されやすいかを判定する二重像判定手段と、
検出した前記パネル温度および前記二重像判定手段の判定結果に応じて、前記第１パネルの透過率と前記第２パネルの透過率とを設定する設定手段と、
を有することを特徴とする表示装置である。
【発明の効果】
【００１６】
本発明によれば、他の画質劣化を抑制しつつ二重像を低減できる。
【図面の簡単な説明】
【００１７】
【図１】実施例１に係る表示装置の構成例
【図２】実施例１に係る二重像低減情報とγ値の対応関係の一例
【図３】実施例１に係る透過率と視線角の対応関係の一例
【図４】実施例１に係る階調値、視線角、及び、透過率の対応関係の一例
【図５】実施例１に係る第１のγ値と第２のγ値との対応関係の一例
【図６】実施例１に係る入力画像データの一例
【図７】実施例１に係る光線の一例
【図８】従来技術の画像表示の一例
【図９】実施例１に係る画像表示の一例
【図１０】従来技術の画像表示の一例
【図１１】実施例１に係る画像表示の一例
【図１２】実施例１に係る他の表示装置の構成例
【図１３】実施例２に係る表示装置の構成例
【図１４】実施例３に係る表示装置の構成例
【図１５】実施例３に係る液晶パネル温度とγ値の対応関係の一例
【図１６】実施例４に係る表示装置の構成例
【発明を実施するための形態】
【００１８】
＜実施例１＞
以下、本発明の実施例１について説明する。図１は、本実施例に係る表示装置１０の構成例を示すブロック図である。表示装置１０は、制御部１０１、記憶部１０２、画像取得部１０３、情報取得部１０４、バックライトユニット１０５、第１液晶パネル１０６、第２液晶パネル１０７、γ設定部１０８、逆γ処理部１０９、第１γ処理部１１０、第２γ処理部１１１を有する。
【００１９】
制御部１０１は、表示装置１０の各機能部の処理を制御する。図１では、制御部１０１から各機能部への制御信号の出力を示す矢印は省略されている。記憶部１０２は、各種データ（プログラム、情報、パラメータ、等）を記憶する。制御部１０１は、例えば、プログラムを記憶部１０２から読み出して実行することにより、表示装置１０の各機能部の処理を制御する。記憶部１０２は、表示装置１０に内蔵されていてもよいし、表示装置１０に対して着脱可能であってもよい。記憶部１０２として複数の記憶部が使用されてもよい。複数の記憶部の一部が表示装置１０に内蔵され、複数の記憶部の残りが表示装置１０に対して着脱可能であってもよい。
【００２０】
画像取得部１０３は、表示装置１０の外部から画像データ（入力画像データ）を取得し、入力画像データを逆γ処理部１０９へ出力する。なお、画像取得部１０３は、記憶部１０２から入力画像データを取得してもよい。
【００２１】
情報取得部１０４は、ユーザ操作に応じて、二重像の低減度合いを示す二重像低減情報を取得（生成）する。具体的には、情報取得部１０４は、ユーザによって指定された低減度合いを示す二重像低減情報を取得する。そして、情報取得部１０４は、二重像低減情報をγ設定部１０８へ出力する。なお、情報取得部１０４は、表示装置１０の外部から二重像低減情報を取得してもよいし、記憶部１０２から二重像低減情報を取得してもよい。
【００２２】
バックライトユニット１０５は、第１液晶パネル１０６の背面に光を照射する発光部である。以後、バックライトユニット１０５から画面（ユーザが見る面）に向かう方向を前方向として説明を行う。
【００２３】
第１液晶パネル１０６は、バックライトユニット１０５に対して前側に設けられた液晶パネルである。第１液晶パネル１０６は、バックライトユニット１０５から発せられた光を入力画像データ（具体的には、第１γ処理部１１０から出力された第１処理画像データ）に基づく透過率で透過する。
【００２４】
第２液晶パネル１０７は、第１液晶パネル１０６に対して前側に設けられた液晶パネルである。第２液晶パネル１０７は、バックライトユニット１０５から発せられて第１液晶パネル１０６を透過した光を入力画像データ（具体的には、第２γ処理部１１１から出力された第２処理画像データ）に基づく透過率で透過する。それにより、入力画像データに基づく画像が画面に表示される。画面は、例えば、第２液晶パネル１０７の前面である。
【００２５】
本実施例では、入力画像データの階調値が大きいほど、入力画像データの輝度、第１液晶パネル１０６の透過率、第２液晶パネル１０７の透過率、等が高い、いわゆるノーマリーブラックの例を説明する。なお、本実施例では、第１液晶パネル１０６と第２液晶パネル１０７とは、同一種類の液晶パネルであるとする。第１液晶パネル１０６と第２液晶パ
ネル１０７とでは、入力される画像データの階調値が大きいほど透過率が高く、階調値が最大値である場合に透過率が最大値となる。したがって、第１液晶パネル１０６と第２液晶パネル１０７とでは、入力される画像データの階調値が大きいほど、取り得る透過率の最大値に対する透過率の比率が高いといえる。
【００２６】
なお、第１液晶パネル１０６と第２液晶パネル１０７の少なくとも一方は、液晶パネルでなくてもよい。入力画像データに基づく透過率で光を透過する種々の透過パネルを、第１液晶パネル１０６や第２液晶パネル１０７として使用できる。例えば、第１液晶パネル１０６と第２液晶パネル１０７の少なくとも一方は、ＭＥＭＳ（Ｍｉｃｒｏ  Ｅｌｅｃｔｒｏ  Ｍｅｃｈａｎｉｃａｌ  Ｓｙｓｔｅｍ）シャッター方式の表示パネルであってもよい。
【００２７】
なお、本実施例において、第１液晶パネル１０６と第２液晶パネル１０７とはそれぞれ、画面に垂直な方向（正面方向）における光の透過率（垂直透過率）が高いほど、垂直透過率に対する斜方透過率の比率が低い透過特性を有する。斜方透過率は、画面に垂直な方向に対して所定の角度を有する方向における光の透過率である。言い換えると、第１液晶パネル１０６と第２液晶パネル１０７とのそれぞれでは、垂直透過率が高いほど、視野角特性が低い（悪い）。
【００２８】
第１液晶パネル１０６と第２液晶パネル１０７との視野角特性について、図面を用いて説明する。図３は、視線角と、各視線角の方向における液晶パネル（液晶パネルの液晶素子）の透過率との対応関係の一例を示す模式図である。言い換えると、図３は、液晶パネルのある液晶素子に対する視線角と、当該液晶素子の透過率との対応関係を示した模式図であるといえる。図３の横軸は視線角を示し、図３の縦軸は、各視線角における液晶パネルの透過率を示す。視線角は、画面に対する視線方向の角度である。本実施例では、視線角は、画面に対して垂直な方向（正面方向）に対する視線方向の角度であり、正面方向を０°として表す角度である。視線角が０°より大きく９０°よりも小さい状態は、液晶パネルの画面に対して斜め方向から画面を見ている状態である。図３の透過率は、最大値が１となるように正規化された値である。液晶パネルは、視線角が０°である場合の透過率（垂直透過率）が最大値となるとする。
【００２９】
液晶パネルに入力される画像データの階調値が変わると、液晶パネルに供給される電圧が変わり、液晶パネルの透過率（垂直透過率や斜方透過率）が変わる。図３の視野角特性３０１は、階調値が上限値である画像データに基づいて液晶パネルの透過率が制御された場合の視野角特性である。図３の視野角特性３０２は、階調値が下限値である画像データに基づいて液晶パネルの透過率が制御された場合の視野角特性である。上述したように、本実施例で第１液晶パネル１０６や第２液晶パネル１０７として用いる液晶パネルでは、入力される画像データの階調値が大きいほど、透過率（垂直透過率や斜方透過率）が高い。したがって、視野角特性３０１は、液晶パネルの透過率が高く制御された場合の視野角特性であるといえる。同様に、視野角特性３０２は、液晶パネルの透過率が低く制御された場合の視野角特性であるといえる。
【００３０】
本実施例では、垂直透過率と斜方透過率との差が小さい状態を、視野角特性が高い（よい）状態とする。このような状態では、斜め方向から画面を見た場合に視認される画像と、正面方向から画面を見た場合に視認される画像との間で、輝度および色の違いが小さい。一方で、垂直透過率と斜方透過率との差が大きい状態を、視野角特性が低い（悪い）状態とする。このような状態では、斜め方向から画面を見た場合に視認される画像と、正面方向から画面を見た場合に視認される画像との間で、輝度および色の違いが大きい。
【００３１】
図３に示すように、液晶パネルの透過率が高く制御された場合の視野角特性３０１は、
液晶パネルの透過率が低く制御された場合の視野角特性３０２よりもブロードである。視野角特性がブロードであるということは、視線角が変化による透過率の変化が小さいことを意味し、垂直透過率と斜方透過率との差が小さいことを意味する。したがって、液晶パネルの透過率が高く制御された場合には、液晶パネルの透過率が低く制御された場合よりも視野角特性が低い。つまり、液晶パネルにおいて、階調値の増加によって視野角特性が悪化する。
【００３２】
図４は、階調値、視線角、液晶パネルの透過率、及び、透過変化率の対応関係の一例を示すテーブルである。図４において、階調値は、最大値が１となるように正規化された値であり、透過率も、最大値が１となるように正規化された値である。透過率の最大値は、階調値が最大値で制御され、且つ、視線角が０°（正面方向）である場合における透過率である。図４には、視線角が０°（正面方向）の場合と、視線角が４５°の場合とが示されている。透過変化率は、視線角０°の透過率に対する視線角４５°（所定の角度）の透過率の比率である。透過変化率が小さいほど、正面透過率と斜方透過率との差が大きいことから、視野角特性が悪い。図４から、階調値が増加し、垂直透過率の最大値に対する垂直透過率の比率が増加することにより、透過変化率が低下し、視野角特性が低下することがわかる。なお、斜方透過率の所定の角度は、０°でなければよく、４５°より大きくても小さくてもよい。
【００３３】
γ設定部１０８は、後述する各γ処理部が処理画像データを生成するために用いるγ値（γ１とγ２）を設定する。γ設定部１０８は、第２液晶パネル１０７の視野角特性が、第１液晶パネル１０６の視野角特性よりも低下するように、γ値を設定する。上述したように、第１液晶パネル１０６および第２液晶パネル１０７では、入力される階調値が高いほど、垂直透過率の最大値に対する垂直透過率の比率が大きく、視野角特性が低い。したがって、γ設定部１０８は、第２液晶パネル１０７の各液晶素子が第１液晶パネル１０６の対応する液晶素子よりも高い階調値で制御されるように、各γ値を設定する。具体的には、γ設定部１０８は、第２液晶パネル１０７の制御に用いる画像データを生成するためのγ値（γ２）が、第１液晶パネル１０６の制御に用いる画像データを生成するためのγ値（γ１）よりも大きくなるように、各γ値を設定する。これにより、第２液晶パネル１０７の垂直透過率の最大値に対する第２液晶パネル１０７の各液晶素子の垂直透過率の比率は、第１液晶パネル１０６の垂直透過率の最大値に対する第１液晶パネル１０６の対応する液晶素子の垂直透過率の比率よりも高くなる。
【００３４】
γ値が大きいほど高い階調値で透過率が制御される。したがって、γ値が大きいほど低い視野角特性の状態が実現される。つまり、γ設定部１０８が設定するγ値（γ１とγ２）は、各液晶パネルの視野角特性の低下の程度（視野角の変化に対する透過率の低下の程度）を示す度合いである。
【００３５】
本実施例では、視線角の増加による第１液晶パネル１０６の透過率の低下の度合いを第１度合いとし、視線角の増加による第２液晶パネル１０７の透過率の低下の度合いを第２度合いとする。そして、γ設定部１０８は、ユーザ操作（具体的には、情報取得部１０４から出力された二重像低減情報）に応じて、第１度合いと第２度合いを設定する。具体的には、γ設定部１０８は、二重像低減情報に応じて、第１度合いとして第１のγ値γ１を決定し、第２度合いとして第２のγ値γ２を決定する。そして、γ設定部１０８は、第１のγ値γ１を第１γ処理部１１０へ出力し、第２のγ値γ２を第２γ処理部１１１へ出力する。
【００３６】
図２は、二重像低減情報（二重像の低減度合い）、第１のγ値γ１、及び、第２のγ値γ２の対応関係の一例を示すテーブルである。γ設定部１０８は、例えば、図２のテーブルを用いて第１のγ値γ１と第２のγ値γ２とを決定する。本実施例では、図２に示すよ
うに、第１のγ値γ１よりも小さいγ値が、第２のγ値γ２として決定される。また、二重像低減情報によって示された低減度合いが高いほど小さいγ値が、第２のγ値γ２として決定される。図２の例では、第１液晶パネル１０６と第２液晶パネル１０７からなる２重液晶パネルのγ特性がγ値＝γ１＋γ２＝２．２のγ特性となるように、第１のγ値γ１と第２のγ値γ２とが定められている。
【００３７】
逆γ処理部１０９は、画像取得部１０３から出力された入力画像データのγ特性を、階調値の増加に対して画像データの輝度が線形に増加する線形特性に変換する逆γ変換処理を行うことにより、線形画像データを生成する。そして、逆γ処理部１０９は、線形画像データを第１γ処理部１１０と第２γ処理部１１１へ出力する。入力画像データのデータフォーマットは特に限定されないが、本実施例では、入力画像データの画素値が、８ビットのＲ値、８ビットのＧ値、及び、８ビットのＢ値からなるＲＧＢ値であり、入力画像データのγ値が２．２であるとする。そして、逆γ処理部１０９は、以下の式１〜３を用いて入力画像データの各画素値を変換する。式１〜３において、「ＩＶ＿Ｒｍｎ」は、ｍ行ｎ列目の画素の入力Ｒ値（入力画像データのＲ値）である。「ＩＶ＿Ｇｍｎ」は、ｍ行ｎ列目の画素の入力Ｇ値（入力画像データのＧ値）である。「ＩＶ＿Ｂｍｎ」は、ｍ行ｎ列目の画素の入力Ｂ値（入力画像データのＢ値）である。「ＧＶ＿Ｒｍｎ」は、ｍ行ｎ列目の画素の線形Ｒ値（線形画像データのＲ値）である。「ＧＶ＿Ｇｍｎ」は、ｍ行ｎ列目の画素の線形Ｇ値（線形画像データのＧ値）である。そして、「ＧＶ＿Ｂｍｎ」は、ｍ行ｎ列目の画素の線形Ｂ値（線形画像データのＢ値）である。式１〜３を用いた演算により、画素値が、８ビットのＲ値、８ビットのＧ値、及び、８ビットのＢ値からなるＲＧＢ値であり、且つ、γ値が２．２である線形画像データが生成される。なお、線形画像データのデータフォーマットは特に限定されない。
ＧＶ＿Ｒｍｎ＝２５５×（ＩＶ＿Ｒｍｎ／２５５）２．２  ・・・（式１）
ＧＶ＿Ｇｍｎ＝２５５×（ＩＶ＿Ｇｍｎ／２５５）２．２  ・・・（式２）
ＧＶ＿Ｂｍｎ＝２５５×（ＩＶ＿Ｂｍｎ／２５５）２．２  ・・・（式３）
【００３８】
第１γ処理部１１０は、以下の条件を満たすように入力画像データ（具体的には、逆γ処理部１０９から出力された線形画像データ）の各階調値を変換する第１処理を行うことにより、第１処理画像データを生成する。そして、第１γ処理部１１０は、第１処理画像データを第１液晶パネル１０６へ出力する。下記条件は、「第２液晶パネル１０７の視野角特性が第１液晶パネル１０６の視野角特性よりも悪い」とも言える。
条件：視線角の増加による第２液晶パネル１０７の透過率の低下が、視線角の増加による第１液晶パネル１０６の透過率の低下よりも大きい。
【００３９】
具体的には、第１γ処理部１１０は、γ設定部１０８から出力された第１のγ値γ１を用いたγ変換処理を入力画像データ（具体的には線形画像データ）に施すことにより、第１処理画像データを生成する。本実施例では、第１γ処理部１１０は、以下の式４〜６を用いて線形画像データの各画素値を変換する。式４〜６において、「ＧＰ１＿Ｒｍｎ」は、ｍ行ｎ列目の画素の第１Ｒ値（第１処理画像データのＲ値）である。「ＧＰ１＿Ｇｍｎ」は、ｍ行ｎ列目の画素の第１Ｇ値（第１処理画像データのＧ値）である。そして、「ＧＰ１＿Ｂｍｎ」は、ｍ行ｎ列目の画素の第１Ｂ値（第１処理画像データのＢ値）である。式４〜６を用いた演算により、画素値が、８ビットのＲ値、８ビットのＧ値、及び、８ビットのＢ値からなるＲＧＢ値である第１処理画像データが生成される。なお、第１処理画像データのデータフォーマットは特に限定されない。
ＧＰ１＿Ｒｍｎ＝２５５×（ＧＶ＿Ｒｍｎ／２５５）γ１  ・・・（式４）
ＧＰ１＿Ｇｍｎ＝２５５×（ＧＶ＿Ｇｍｎ／２５５）γ１  ・・・（式５）
ＧＰ１＿Ｂｍｎ＝２５５×（ＧＶ＿Ｂｍｎ／２５５）γ１  ・・・（式６）
【００４０】
第２γ処理部１１１は、上述した条件を満たすように入力画像データ（具体的には、逆γ処理部１０９から出力された線形画像データ）の各階調値を変換する第２処理を行うことにより、第２処理画像データを生成する。そして、第２γ処理部１１１は、第２処理画像データを第２液晶パネル１０７へ出力する。具体的には、第２γ処理部１１１は、γ設定部１０８から出力された第２のγ値γ２を用いたγ変換処理を入力画像データ（具体的には線形画像データ）に施すことにより、第２処理画像データを生成する。本実施例では、第２γ処理部１１１は、以下の式７〜９を用いて線形画像データの各画素値を変換する。式７〜９において、「ＧＰ２＿Ｒｍｎ」は、ｍ行ｎ列目の画素の第２Ｒ値（第２処理画像データのＲ値）である。「ＧＰ２＿Ｇｍｎ」は、ｍ行ｎ列目の画素の第２Ｇ値（第２処理画像データのＧ値）である。そして、「ＧＰ２＿Ｂｍｎ」は、ｍ行ｎ列目の画素の第２Ｂ値（第２処理画像データのＢ値）である。式７〜９を用いた演算により、画素値が、８ビットのＲ値、８ビットのＧ値、及び、８ビットのＢ値からなるＲＧＢ値である第２処理画像データが生成される。なお、第２処理画像データのデータフォーマットは特に限定されない。
ＧＰ２＿Ｒｍｎ＝２５５×（ＧＶ＿Ｒｍｎ／２５５）γ２  ・・・（式７）
ＧＰ２＿Ｇｍｎ＝２５５×（ＧＶ＿Ｇｍｎ／２５５）γ２  ・・・（式８）
ＧＰ２＿Ｂｍｎ＝２５５×（ＧＶ＿Ｂｍｎ／２５５）γ２  ・・・（式９）
【００４１】
図５は、第１のγ値γ１と第２のγ値γ２との対応関係の一例を示すテーブルである。従来技術では、第２のγ値γ２として、第１のγ値γ１と同じγ値が使用される。例えば、図５に示すように、第１のγ値γ１＝第２のγ値γ２＝１．１が使用される。一方で、本実施例では、第２のγ値γ２として、第１のγ値γ１よりも小さいγ値が使用される。例えば、図５に示すように、第１のγ値γ１＝１．７と第２のγ値γ２＝０．５とが使用される。上述したように、階調値の増加によって視野角特性は悪化する。そのため、γ値の低下によって視野角特性は悪化する。本実施例では、第２のγ値γ２として第１のγ値γ１よりも小さいγ値が使用されるため、第２液晶パネル１０７の視野角特性は第１液晶パネル１０６の視野角特性よりも悪くなる。これは、「第２液晶パネル１０７の垂直透過率が第１液晶パネル１０６の垂直透過率よりも高い」とも言え、「第２液晶パネル１０７の透過率変化が第１液晶パネル１０６の透過率変化よりも低い」とも言える。本実施例では、制御部１０１の制御により、入力画像データに基づいて、視野角特性の良し悪しなどの上記条件を満たすように、第１液晶パネル１０６および第２液晶パネル１０７の光の透過率が制御される。
【００４２】
図６（Ａ），６（Ｂ）は、入力画像データ（具体的には線形画像データ）の一例を示す模式図である。図６（Ａ）は、線形画像データによって表された画像の一例を示し、図６（Ｂ）は、図６（Ａ）の破線６０１上における線形画像データの階調値（信号レベル）の分布の一例を示す。図６（Ｂ）の横軸は、画像内の水平位置を示し、図６（Ｂ）の縦軸は、線形画像データの階調値を示す。図６（Ａ），６（Ｂ）の例では、階調値０．３の背景６０２上に、階調値０．５の帯６０３が描かれている。
【００４３】
図７は、図６の線形画像データに基づく画像を画面に表示する場合の光線の一例を示す模式図である。ユーザの眼７０１は、視線角４５°で画面を見ている。光線７０２は、第１液晶パネル１０６の帯部（帯６０３に対応する部分）を透過して第２液晶パネル１０７
の帯部に入射する光線である。光線７０３は、第１液晶パネル１０６の帯部を透過して第２液晶パネル１０７の背景部（背景６０２に対応する部分）に入射する光線である。光線７０２は、第１液晶パネル１０６の帯部を透過すると、光線７０４となって眼７０１に入射する。そして、光線７０３は、第１液晶パネル１０６の背景部を透過すると、光線７０５となって眼７０１に入射する。第１液晶パネル１０６の帯部を透過した光線７０４，７０５が眼７０１に入射することにより、ユーザには帯６０３の二重像が見えてしまう。具体的には、帯部と背景部に帯６０３に対応する帯が見えてしまう。
【００４４】
図８（Ａ），８（Ｂ）は、従来技術の画像表示の一例を示す模式図である。図８（Ａ）は、線形画像データの階調値、第１液晶パネル１０６の透過率、第２液晶パネル１０７の透過率、第１液晶パネル１０６から第２液晶パネル１０７に入射する光の輝度、視線角、ユーザが知覚する輝度（知覚輝度）、等の対応関係の一例を示す。図８（Ａ）では、第１のγ値γ１も第２のγ値γ２も１．１である。また、簡単のため、図８（Ａ）では、第１液晶パネル１０６に入射する光の輝度を１としている。図８（Ｂ）は、ユーザが視線角４５°で画面を見た場合に知覚する画像の一例を示す。図８（Ｂ）は、図６の線形画像データに基づく画像を画面に表示する場合の例を示す。
【００４５】
第１のγ値γ１は１．１であるため、線形画像データの階調値０．５（帯６０３）は、第１処理画像データの階調値０．４６７（＝０．５１．１）に変換される。そして、線形画像データの階調値０．３（背景６０２）は、第１処理画像データの階調値０．２６６（＝０．３１．１）に変換される。同様に、第２のγ値γ２は１．１であるため、線形画像データの階調値０．５（帯６０３）は、第２処理画像データの階調値０．４６７（＝０．５１．１）に変換される。そして、線形画像データの階調値０．３（背景６０２）は、第２処理画像データの階調値０．２６６（＝０．３１．１）に変換される。
【００４６】
まず、視線角０°の場合を考える。この場合には、図８（Ａ）に示すように、第１液晶パネル１０６の帯部（階調値０．４６７）の透過率は、図４のテーブルに従い、０．４６７となる。同様に、第２液晶パネル１０７の帯部（階調値０．４６７）の透過率は、図４のテーブルに従い、０．４６７となる。そのため、帯部の知覚輝度は、０．２１８（＝０．４６７×０．４６７×１）となる。
【００４７】
次に、視線角４５°で帯部を見る場合を考える。第１液晶パネル１０６の帯部から第２液晶パネル１０７の帯部に入射する光（光線７０２）は、視線角０°の透過率０．４６７で第１液晶パネル１０６を透過した光である。そのため、第１液晶パネル１０６の帯部から第２液晶パネル１０７の帯部に入射する光（光線７０２）の輝度は、０．４６７（＝０．４６７×１）となる。そして、第２液晶パネル１０７の帯部の透過率は、図４のテーブルにおいて視線角４５°と階調値０．４６７とに対応する透過率０．２３３となる。そのため、帯部の知覚輝度（光線７０４の輝度）は、０．１０９（＝０．２３３×０．４６７）となる。
【００４８】
次に、視線角４５°で背景部（具体的には、背景部のうち、第１液晶パネル１０６の帯部からの光が漏れ込む部分）を見る場合を考える。第１液晶パネル１０６の帯部から第２液晶パネル１０７の背景部に入射する光（光線７０３）は、図４のテーブルにおいて視線角４５°と階調値０．４６７とに対応する透過率０．２３３で第１液晶パネル１０６を透過した光である。そのため、第１液晶パネル１０６の帯部から第２液晶パネル１０７の帯部に入射する光（光線７０３）の輝度は、０．２３３（＝０．２３３×１）となる。そして、第２液晶パネル１０７の背景部の透過率は、図４のテーブルにおいて視線角４５°と階調値０．２６６とに対応する透過率０．１７６となる（透過変化率３４％）。そのため、背景部の知覚輝度（光線７０５の輝度）は、０．０４１（＝０．１７６×０．２３３）となる。その結果、視線角４５°の場合には、図８（Ｂ）に示すように、帯６０３が帯部
だけでなく知覚輝度０．０４１で背景部でも見え、二重像が見えてしまう。また、視線角４５°で画面を見る場合において、帯部の知覚輝度（光線７０４の輝度）０．１０９と背景部の知覚輝度（光線７０５の輝度）０．０４１との差は、０．０６８（＝０．１０９−０．０４１）となる。そのため、図８（Ｂ）に示すように、背景部の帯６０３（光線７０５）が明るく見え、二重像が見えやすくなってしまう。
【００４９】
図９（Ａ），９（Ｂ）は、本実施例に係る画像表示の一例を示す模式図である。図９（Ａ）は、線形画像データの階調値、第１液晶パネル１０６の透過率、第２液晶パネル１０７の透過率、第１液晶パネル１０６から第２液晶パネル１０７に入射する光の輝度、視線角、知覚輝度、等の対応関係の一例を示す。図９（Ａ）では、第１のγ値γ１は１．７であり、第２のγ値γ２は０．５である。また、簡単のため、図９（Ａ）では、第１液晶パネル１０６に入射する光の輝度を１としている。図９（Ｂ）は、ユーザが視線角４５°で画面を見た場合に知覚する画像の一例を示す。図９（Ｂ）は、図６の線形画像データに基づく画像を画面に表示する場合の例を示す。
【００５０】
第１のγ値γ１は１．７であるため、線形画像データの階調値０．５（帯６０３）は、第１処理画像データの階調値０．３０８（＝０．５１．７）に変換される。そして、線形画像データの階調値０．３（背景６０２）は、第１処理画像データの階調値０．１２９（＝０．３１．７）に変換される。同様に、第２のγ値γ２は０．５であるため、線形画像データの階調値０．５（帯６０３）は、第２処理画像データの階調値０．７０７（＝０．５０．５）に変換される。そして、線形画像データの階調値０．３（背景６０２）は、第２処理画像データの階調値０．５４８（＝０．３０．５）に変換される。
【００５１】
まず、視線角０°の場合を考える。この場合には、図９（Ａ）に示すように、第１液晶パネル１０６の帯部（階調値０．３０８）の透過率は、図４のテーブルに従い、０．３０８となる。同様に、第２液晶パネル１０７の帯部（階調値０．７０７）の透過率は、図４のテーブルに従い、０．７０７となる。そのため、帯部の知覚輝度は、０．２１８（＝０．３０８×０．７０７×１）となる。帯部の知覚輝度０．２１８は、従来技術（図８（Ａ），８（Ｂ））の知覚輝度０．２１８と等しい。即ち、視線角０°の場合には、従来技術の画像と同等の画像を知覚できる。
【００５２】
次に、視線角４５°で帯部を見る場合を考える。第１液晶パネル１０６の帯部から第２液晶パネル１０７の帯部に入射する光（光線７０２）は、視線角０°の透過率０．３０８で第１液晶パネル１０６を透過した光である。そのため、第１液晶パネル１０６の帯部から第２液晶パネル１０７の帯部に入射する光（光線７０２）の輝度は、０．３０８（＝０．３０８×１）となる。そして、第２液晶パネル１０７の帯部の透過率は、図４のテーブルにおいて視線角４５°と階調値０．７０７とに対応する透過率０．２５５となる。そのため、帯部の知覚輝度（光線７０４の輝度）は、０．０７８（＝０．２５５×０．３０８）となる。なお、「０．２５５」は「０．２５４５５８４４１２２７１５７」を簡略化した数値であり、「０．３０８」は「０．３０７７８６１０３３３６２２９」を簡略化した数値である。
【００５３】
次に、視線角４５°で背景部（具体的には、背景部のうち、第１液晶パネル１０６の帯部からの光が漏れ込む部分）を見る場合を考える。第１液晶パネル１０６の帯部から第２液晶パネル１０７の背景部に入射する光（光線７０３）は、図４のテーブルにおいて視線角４５°と階調値０．３０８とに対応する透過率０．１８５で第１液晶パネル１０６を透過した光である。そのため、第１液晶パネル１０６の帯部から第２液晶パネル１０７の帯部に入射する光（光線７０３）の輝度は、０．１８５（＝０．１８５×１）となる。そして、第２液晶パネル１０７の背景部の透過率は、図４のテーブルにおいて視線角４５°と階調値０．７０７とに対応する透過率０．２５５となる（透過変化率６４％）。第２のγ
値γ２＝０．５は従来技術（図８（Ａ），８（Ｂ））における第２のγ値γ２＝１．１よりも小さいため、第２液晶パネル１０７の透過変化率として、従来技術の透過変化率３４％よりも大きい透過変化率６４％が実現される。そして、背景部の知覚輝度（光線７０５の輝度）は、０．０４０（＝０．２１９×０．１８５）となる。なお、「０．２１９」は「０．２１９０８９０２３００２０６６」を簡略化した数値であり、「０．１８５」は「０．１８４６７１６６２００１７３７」を簡略化した数値である。
【００５４】
背景部における帯６０３の知覚輝度０．０４０は、従来技術（図８（Ａ），８（Ｂ））の知覚輝度０．０４１よりも低い。そのため、図９（Ｂ）に示すように、二重像を見え難くすることができる。本実施例では、第２のγ値γ２を低減することにより、透過変化率が低減され、背景部における帯６０３の知覚輝度が低減される。さらに、第１のγ値γ１を高めることにより、第１液晶パネル１０６の透過率が低減され、背景部における帯６０３の知覚輝度が低減される。即ち、第１液晶パネル１０６と第２液晶パネル１０７の相乗効果により、背景部における帯６０３の知覚輝度が低減される。そして、視線角４５°で画面を見る場合において、帯部の知覚輝度（光線７０４の輝度）０．０７８と背景部の知覚輝度（光線７０５の輝度）０．０４０との差は、０．０３８（＝０．０７８−０．０４０）であり、従来技術の差０．０６８よりも小さい。これによっても、二重像を見え難くすることができる。このように、背景部における帯６０３（光線７０５）の知覚輝度が低減され、且つ、背景部における帯６０３（光線７０５）の知覚輝度と帯部（光線７０４）の知覚輝度と差が低減されることにより、二重像を見え難くすることができる。
【００５５】
次に、図１０（Ａ），１０（Ｂ），１１（Ａ），１１（Ｂ）を用いて、図６の線形画像データの階調値が上述した階調値と異なる場合にも上述した効果と同様の効果が得られることについて説明する。具体的には、背景６０２の階調値が０．０である場合の例を説明する。なお、図８（Ａ），８（Ｂ），９（Ａ），９（Ｂ）と同様の点について、説明を適宜省略する。線形画像データの階調値０．０（背景６０２）は、第１処理画像データでも第２処理画像データでも階調値０．０となる。
【００５６】
図１０（Ａ），１０（Ｂ）は、従来技術の画像表示の一例を示す模式図である。図１０（Ａ）は、線形画像データの階調値、第１液晶パネル１０６の透過率、第２液晶パネル１０７の透過率、第１液晶パネル１０６から第２液晶パネル１０７に入射する光の輝度、視線角、知覚輝度、等の対応関係の一例を示す。図１０（Ｂ）は、ユーザが視線角４５°で画面を見た場合に知覚する画像の一例を示す。
【００５７】
視線角４５°で背景部を見る場合を考える。第２液晶パネル１０７の背景部の透過率は、図４のテーブルにおいて視線角４５°と階調値０．０とに対応する透過率０．００７となる。そのため、背景部の知覚輝度（光線７０５の輝度）は、０．００２（＝０．００７×０．２３３）となる。その結果、視線角４５°の場合には、図１０（Ｂ）に示すように、帯６０３が帯部だけでなく知覚輝度０．００２で背景部でも見え、二重像が見えてしまう。また、視線角４５°で画面を見る場合において、帯部の知覚輝度（光線７０４の輝度）０．１０９と背景部の知覚輝度（光線７０５の輝度）０．００２との差は、０．１０７（＝０．１０９−０．００２）となる。そのため、図１０（Ｂ）に示すように、背景部の帯６０３（光線７０５）が明るく見え、二重像が見えやすくなってしまう。
【００５８】
図１１（Ａ），１１（Ｂ）は、本実施例に係る画像表示の一例を示す模式図である。図１１（Ａ）は、線形画像データの階調値、第１液晶パネル１０６の透過率、第２液晶パネル１０７の透過率、第１液晶パネル１０６から第２液晶パネル１０７に入射する光の輝度、視線角、知覚輝度、等の対応関係の一例を示す。図１１（Ｂ）は、ユーザが視線角４５°で画面を見た場合に知覚する画像の一例を示す。
【００５９】
視線角４５°で背景部を見る場合を考える。第２液晶パネル１０７の背景部の透過率は、図４のテーブルにおいて視線角４５°と階調値０．０とに対応する透過率０．００７となる。そのため、背景部の知覚輝度（光線７０５の輝度）は、０．００１（＝０．００７×０．１８５）となる。
【００６０】
背景部における帯６０３の知覚輝度０．００１は、従来技術（図１０（Ａ），１０（Ｂ））の知覚輝度０．００１の半分である。そのため、図１１（Ｂ）に示すように、二重像を見え難くすることができる。そして、視線角４５°で画面を見る場合において、帯部の知覚輝度（光線７０４の輝度）０．０７８と背景部の知覚輝度（光線７０５の輝度）０．００１との差は、０．０７７（＝０．０７８−０．００１）であり、従来技術の差０．１０７よりも小さい。これによっても、二重像を見え難くすることができる。このように、背景部における帯６０３（光線７０５）の知覚輝度が低減され、且つ、背景部における帯６０３（光線７０５）の知覚輝度と帯部（光線７０４）の知覚輝度と差が低減されることにより、二重像を見え難くすることができる。即ち、図８（Ａ），８（Ｂ），９（Ａ），９（Ｂ）を用いて説明した効果と同様の効果が得られる。
【００６１】
以上述べたように、本実施例によれば、第２液晶パネル１０７の視野角特性が第１液晶パネル１０６の視野角特性よりも悪くなるように、画像表示が行われる。即ち、視線角の増加による第２液晶パネル１０７の透過率の低下が、視線角の増加による第１液晶パネル１０６の透過率の低下よりも大きくなるように、画像表示が行われる。それにより、二重像を低減できる。また、画像の空間周波数を低減する画像処理などは特に行われないため、他の画質劣化（ハロー現象の発生、コントラストの低下、等）を抑制することもできる。
【００６２】
なお、２重液晶パネルのγ特性は、γ値＝γ１＋γ２＝２．２のγ特性に限られない。また、第１液晶パネル１０６は、カラー画像を表示可能な液晶パネルであってもよいし、そうでなくてもよい。第１液晶パネル１０６は、モノクロ画像を表示する液晶パネルであってもよい。
【００６３】
なお、階調値の増加によって視野角特性が悪化する例を説明したが、階調値の低下によって視野角特性が悪化してもよい。その場合には、例えば、第２のγ値γ２として第１のγ値γ１よりも大きいγ値を使用すればよい。また、ノーマリーブラックの例を説明したが、入力画像データの階調値が大きいほど、入力画像データの輝度、第１液晶パネル１０６の透過率、第２液晶パネル１０７の透過率、等が低い、いわゆるノーマリーホワイトであってもよい。
【００６４】
なお、表示装置は、第２処理画像データの空間周波数よりも低い空間周波数を有する第１処理画像データを得るためのぼかし処理を実行してもよい。ぼかし処理は、例えば、ガウシアンフィルタなどの平滑化フィルタを用いたフィルタ処理である。図１２は、ぼかし処理を行う表示装置１１の構成例を示すブロック図である。表示装置１１は、表示装置１０の各機能部と、ぼかし処理部１１２とを有する。ぼかし処理部１１２は、逆γ処理部１０９から出力された線形画像データにぼかし処理を施すことにより、ぼかし画像データを生成する。そして、ぼかし処理部１１２は、ぼかし画像データを第１γ処理部１１１へ出力する。ぼかし画像データの空間周波数は線形画像データの空間周波数よりも低いため、第１処理画像データとして、第２処理画像データの空間周波数よりも低い空間周波数を有する画像データが得られる。その結果、二重像をより低減できる。
【００６５】
なお、第１処理は、第１のγ値γ１を用いたγ変換処理に限られない。第１処理は、第１のγ値γ１を用いたγ変換処理と、他の画像処理とを含んでもよい。また、第２処理は、第２のγ値γ２を用いたγ変換処理に限られない。第２処理は、第２のγ値γ２を用い
たγ変換処理と、他の画像処理とを含んでもよい。
【００６６】
＜実施例２＞
以下、本発明の実施例２について説明する。実施例１では、ユーザ操作に応じて第１度合い（第１のγ値γ１）と第２度合い（第２のγ値γ２）とを設定する例を説明した。本実施例では、入力画像データに応じて第１度合いと第２度合いを設定する例を説明する。なお、以下では、実施例１と異なる点（構成や処理）について詳しく説明し、実施例１と同じ点についての説明は省略する。
【００６７】
図１３は、本実施例に係る表示装置２０の構成例を示すブロック図である。表示装置２０は、実施例１（図１）の各機能部、伸縮パラメータ設定部２０１、伸長部２０２、及び、圧縮部２０３を有する。なお、表示装置２０は、γ設定部１０８、第１γ処理部１１０、第２γ処理部１１１、等を有していなくてもよい。
【００６８】
伸縮パラメータ設定部２０１は、入力画像データ（具体的には、逆γ処理部１０９から出力された線形画像データ）に応じて、第１度合いと第２度合いを設定する。本実施例では、伸縮パラメータ設定部２０１は、線形画像データに応じて、伸縮パラメータを決定する。そして、伸縮パラメータ設定部２０１は、伸縮パラメータを、伸長部２０２と圧縮部２０３へ出力する。具体的には、伸縮パラメータ設定部２０１は、以下の式１０〜１２を用いて各画素の伸縮パラメータを決定する。式１０〜１２において、「ＡＭ＿Ｒ」は、ｍ行ｎ列目の画素のＲ成分に対応する伸縮パラメータであり、「ＡＭ＿Ｇ」は、ｍ行ｎ列目の画素のＧ成分に対応する伸縮パラメータであり、「ＡＭ＿Ｂ」は、ｍ行ｎ列目の画素のＢ成分に対応する伸縮パラメータである。「α」は伸縮パラメータを調整する係数である。
ＡＭ＿Ｒｍｎ＝α×（２５５／ＧＶ＿Ｒｍｎ）  ・・・（式１０）
ＡＭ＿Ｇｍｎ＝α×（２５５／ＧＶ＿Ｇｍｎ）  ・・・（式１１）
ＡＭ＿Ｂｍｎ＝α×（２５５／ＧＶ＿Ｂｍｎ）  ・・・（式１２）
【００６９】
本実施例では、伸縮パラメータは、第２処理画像データの階調値をより高めるために線形画像データの階調値に乗算される係数（第２の係数）として使用される。そして、伸縮パラメータ（第２の係数）の逆数は、第１処理画像データの階調値をより低減するために線形画像データの階調値に乗算される係数（第１の係数）として使用される。そのため、第１のγ値γ１と伸縮パラメータの逆数とのそれぞれは「第１度合いの一部」とも言え、第２のγ値γ２と伸縮パラメータとのそれぞれは「第２度合いの一部」とも言える。表示装置２０は、γ設定部１０８、第１γ処理部１１０、第２γ処理部１１１、等を有さない場合には、伸縮パラメータの逆数は「第１度合い」とも言え、伸縮パラメータは「第２度合い」とも言える。式１０〜１２によれば、入力画像データの各画素について個別に、入力画像データの輝度（階調値）が低いほど大きい伸縮パラメータ（第２度合い）が設定される。そのため、入力画像データの輝度が低いほど小さい第１度合いが設定される。
【００７０】
なお、係数αを用いずに、上限に対する階調値（線形画像データの階調値）の乖離の度合いが、伸縮パラメータとして決定（設定）されてもよい。しかし、そのような方法では、伸縮パラメータの乗算によって階調値が上限を超え上限に制限されることがある（飽和）。そのため、係数αを用い、上記飽和が抑制されるように係数αを調整することが好ましい。
【００７１】
なお、伸縮パラメータとして、第１度合いに対応する第１の係数が決定されてもよい。第１の係数は、第２度合いに対応する第２の係数の逆数と異なっていてもよい。
【００７２】
伸長部２０２は、以下の式１３〜１５に示すように、伸縮パラメータ設定部２０１から出力された伸長パラメータを、入力画像データ（具体的には、逆γ処理部１０９から出力された線形画像データ）の各階調値に乗算する（伸長処理）。それにより、伸長画像データが生成される。そして、伸長部２０２は、伸長画像データを第２γ処理部１１１へ出力する。式１３〜１５において、「ＶＡ＿Ｒｍｎ」は、ｍ行ｎ列目の画素の伸長Ｒ値（伸長画像データのＲ値）である。「ＶＡ＿Ｇｍｎ」は、ｍ行ｎ列目の画素の伸長Ｇ値（伸長画像データのＧ値）である。そして、「ＶＡ＿Ｂｍｎ」は、ｍ行ｎ列目の画素の伸長Ｂ値（伸長画像データのＢ値）である。式１３〜１５を用いた演算により、画素値が、８ビットのＲ値、８ビットのＧ値、及び、８ビットのＢ値からなるＲＧＢ値である伸長画像データが生成される。なお、伸長画像データのデータフォーマットは特に限定されない。
ＶＡ＿Ｒｍｎ＝ＧＶ＿Ｒｍｎ×ＡＭ＿Ｒｍｎ  ・・・（式１３）
ＶＡ＿Ｇｍｎ＝ＧＶ＿Ｇｍｎ×ＡＭ＿Ｇｍｎ  ・・・（式１４）
ＶＡ＿Ｂｍｎ＝ＧＶ＿Ｂｍｎ×ＡＭ＿Ｂｍｎ  ・・・（式１５）
【００７３】
圧縮部２０３は、以下の式１６〜１８に示すように、伸縮パラメータ設定部２０１から出力された伸長パラメータで、入力画像データ（具体的には、逆γ処理部１０９から出力された線形画像データ）の各階調値を除算する（圧縮処理）。それにより、圧縮画像データが生成される。そして、圧縮部２０３は、圧縮画像データを第１γ処理部１１０へ出力する。式１６〜１８において、「ＶＢ＿Ｒｍｎ」は、ｍ行ｎ列目の画素の圧縮Ｒ値（圧縮画像データのＲ値）である。「ＶＢ＿Ｇｍｎ」は、ｍ行ｎ列目の画素の圧縮Ｇ値（圧縮画像データのＧ値）である。そして、「ＶＢ＿Ｂｍｎ」は、ｍ行ｎ列目の画素の圧縮Ｂ値（圧縮画像データのＢ値）である。式１３〜１５を用いた演算により、画素値が、８ビットのＲ値、８ビットのＧ値、及び、８ビットのＢ値からなるＲＧＢ値である圧縮画像データが生成される。なお、圧縮画像データのデータフォーマットは特に限定されない。また、伸長パラメータで階調値を除算する処理は、「伸長パラメータの逆数を階調値に乗算する処理」とも言える。
ＶＢ＿Ｒｍｎ＝ＧＶ＿Ｒｍｎ×ＡＭ＿Ｒｍｎ  ・・・（式１６）
ＶＢ＿Ｇｍｎ＝ＧＶ＿Ｇｍｎ×ＡＭ＿Ｇｍｎ  ・・・（式１７）
ＶＢ＿Ｂｍｎ＝ＧＶ＿Ｂｍｎ×ＡＭ＿Ｂｍｎ  ・・・（式１８）
【００７４】
第１γ処理部１１０は、線形画像データの代わりに圧縮画像データを用いる。それにより、第１処理画像データの階調値が実施例１の階調値よりも小さくなり、第１液晶パネル１０６の透過率が実施例１の透過率よりも低くなる。そして、第２γ処理部１１１は、線形画像データの代わりに伸長画像データを用いる。それにより、第２処理画像データの階調値が実施例１の階調値よりも大きくなり、第２液晶パネル１０７の視野角特性が実施例１の視野角特性よりも悪くなる。これらにより、二重像をより見え難くすることができる。
【００７５】
以上述べたように、本実施例によれば、入力画像データにさらに基づいて、第１度合いと第２度合いが設定される。それにより、実施例１よりも二重像を見え難くすることができる。
【００７６】
なお、入力画像データの各画素について個別に第１度合いと第２度合いを設定する例を説明したが、これに限られない。例えば、画面を構成する複数の分割領域のそれぞれについて個別に第１度合いと第２度合いが設定されてもよい。分割領域は、１つの画素が表示
される領域であってもよいし、２つ以上の画素が表示される領域であってもよい。第１液晶パネル１０６の解像度（液晶素子数）は、第２液晶パネル１０７の解像度と同じであってもよいし、第２液晶パネル１０７の解像度より低くてもよい。その場合には、第１液晶パネル１０６の各液晶素子は２つ以上の画素に対応する。複数の分割領域は、第１液晶パネル１０６の複数の液晶素子にそれぞれ対応する複数の領域であってもよい。第１液晶パネル１０６の解像度を第２液晶パネル１０７の解像度よりも低くすれば、表示装置の製造コストを低減できる。画面全体に対して第１度合いと第２度合いが設定されてもよい。即ち、１組の第１度合いと第２度合いが設定されてもよい。
【００７７】
分割領域や画面全体に対して第１度合いと第２度合いを設定する方法は特に限定されない。例えば、入力画像データの最大輝度（最大階調値）が低いほど小さい第１度合いと、入力画像データの最大輝度が低いほど大きい第２度合いとが設定される。入力画像データ（線形画像データ）の最大輝度は、画面全体における最大輝度、分割領域における最大輝度、等である。テレビジョン装置のように、画作りが重視される表示装置の場合には、入力画像データの輝度を再現する必要が無いことがある。そのような場合には、二重像の低減に重みを置き、入力画像データの最大輝度の代わりに入力画像データの平均輝度（平均階調値）が使用されてもよい。入力画像データ（線形画像データ）の平均輝度は、画面全体における平均輝度、分割領域における平均輝度、等である。
【００７８】
なお、入力画像データの輝度に応じて第１度合いと第２度合いを設定する例を説明したが、これに限られない。画像データの空間周波数が高いほど二重像は見えやすい。そのため、入力画像データの空間周波数に応じて、入力画像データの空間周波数が高いほど小さい第１度合いと、入力画像データの空間周波数が高いほど大きい第２度合いとが設定されてもよい。具体的には、隣り合う２つ画素の複数のペアのそれぞれについて、２つの画素の間における階調差（入力画像データ（線形画像データ）の階調値の差の絶対値）が算出され、複数の階調差の総和が大きいほど大きい値に係数αが調整されてもよい。それにより、複数の階調差の総和が大きいほど大きい伸縮パラメータ（第２度合い）が設定される。
【００７９】
＜実施例３＞
以下、本発明の実施例３について説明する。実施例１では、ユーザ操作に応じて第１のγ値γ１と第２のγ値γ２とを設定する例を説明した。本実施例では、液晶パネル温度に応じて、第１のγ値γ１と第２のγ値γ２とを設定する例を説明する。液晶パネル温度はバックライトユニット側の液晶パネル（第１液晶パネル）に関する温度である。なお、以下では、実施例１と異なる点（構成や処理）について詳しく説明し、実施例１と同じ点についての説明は省略する。
【００８０】
液晶表示装置でのＨＤＲ（Ｈｉｇｈ  Ｄｙｎａｍｉｃ  Ｒａｎｇｅ）化が進むにつれて、高輝度表示への需要が高まりつつある。とりわけ二重液晶を用いた表示装置のバックライト光源（バックライトユニット）では高輝度が必要となることから、バックライト光源側の液晶（第１液晶パネルの液晶）が高温となり劣化し、通常の液晶と比べて透過率が高くなるという課題がある。
【００８１】
ここで液晶の高温化の度合いは、液晶パネルの透過率に依存することがある。バックライト光（バックライト光源から発せられた光）のうち、液晶パネルによって遮蔽される光は、液晶パネルの表面および内部で熱に変換される。このため、例えば、映像信号（画像データ）が暗く、液晶パネルの透過率が低い場合には、液晶パネルによって遮蔽されるバックライト光が多く、液晶パネルは高温になりやすい。逆に、映像信号が明るく、液晶パネルの透過率が高い場合には、液晶パネルによって遮蔽されるバックライト光が少ないため、液晶パネルの透過率が低い場合と比較して液晶パネルは高温になりにくい。
【００８２】
したがって本実施例では、液晶パネル温度に応じて、第１のγ値γ１と第２のγ値γ２をと制御することで、バックライト光源側の液晶パネルの高温化を抑制する方法について述べる。
【００８３】
図１４は、本実施例に係る表示装置３０の構成例を示すブロック図である。表示装置３０は、画像取得部１０３、基準温度記憶部３０１、温度センサ検出部３０２、第１γ処理部１１０、第２γ処理部１１１、第１液晶パネル１０６、第２液晶パネル１０７、バックライトユニット１０５、制御部１０１、記憶部１０２を有する。なお、表示装置３０は、基準温度記憶部３０１、γ設定部１０８、第１γ処理部１１０、第２γ処理部１１１、等を有していなくてもよい。
【００８４】
温度センサ検出部３０２は、第１液晶パネル１０６に関する液晶パネル温度を検出し、検出した液晶パネル温度をγ設定部１０８に出力する。液晶パネル温度は、第１液晶パネル１０６の温度そのものであってもよいし、表示装置３０内の他の箇所（第２液晶パネル１０７やバックライトユニット１０５など）の温度であってもよい。液晶パネル温度は推定温度であってもよい。温度の推定には表示装置３０の外部の温度などを考慮してもよい。基準温度記憶部３０１は、第１のγ値および第２のγ値を設定する際の閾値となる基準温度を記憶し、保持する。γ設定部１０８は、基準温度記憶部３０１から出力される基準温度および、温度センサ検出部３０２から出力される液晶パネル温度に応じて、第１のγ値γ１と第２のγ値γ２とを決定する。そして、γ設定部１０８は、第１のγ値γ１を第１γ処理部１１０へ出力し、第２のγ値γ２を第２γ処理部１１１へ出力する。
【００８５】
図１５は、検出した液晶パネル温度、第１のγ値γ１、及び、第２のγ値γ２の対応関係の一例を示すテーブルである。γ設定部１０８は、例えば、図１５のテーブルを用いて、第１のγ値γ１と第２のγ値γ２とを決定する。本実施例では、γ設定部１０８は、温度センサ検出部３０２から出力される液晶パネル温度が基準温度以上の温度範囲内で又は基準温度を跨いで変化する場合に、第１のγ値γ１と第２のγ値γ２とをそれぞれ変化させる。具体的には、γ設定部１０８は、検出した液晶パネル温度が基準温度以上の場合に、当該液晶パネル温度が高いほど（液晶パネル温度と基準温度の差が大きいほど）、第１のγ値γ１を小さくし且つ第２のγ値γ２を大きくする。図１５の例では、第１液晶パネル１０６と第２液晶パネル１０７からなる２重液晶パネルのγ特性がγ値＝γ１＋γ２＝２．２のγ特性となるように、第１のγ値γ１と第２のγ値γ２とが定められている。
【００８６】
以上述べたように、本実施例によれば、液晶パネル温度に基づいて、第１のγ値γ１と第２のγ値γ２とが設定される。それにより、検出した液晶パネル温度が基準温度以上の場合は、当該液晶パネル温度の増加に応じて、第１液晶パネル１０６と第２液晶パネル１０７からなる２重液晶パネルのγ特性が変化せずに、第１液晶パネル１０６の光透過率が上昇する。その結果、第１液晶パネル１０６により遮蔽されるバックライト光が低減するため、第１液晶パネル１０６の内部で熱変換されるバックライト光が低減し、第１液晶パネル１０６が劣化する主要因である第１液晶パネル１０６の高温化を抑制することが可能となる。
【００８７】
なお、基準温度を閾値として、液晶パネル温度の変化に応じて第１のγ値γ１と第２のγ値γ２とのそれぞれを変化させる例を説明したが、第１のγ値γ１と第２のγ値γ２とを設定する方法は特に限定されない。例えば、基準温度を閾値とせず、液晶パネル温度の変化に応じて第１のγ値γ１と第２のγ値γ２とのそれぞれを変化させてもよい。この場合には、液晶パネル温度が基準温度以下の温度範囲内で変化する場合にも、第１のγ値γ１と第２のγ値γ２とのそれぞれが変更される。液晶パネル温度の連続的な変化に対して第１のγ値γ１と第２のγ値γ２とのそれぞれを段階的に変化させてもよいし、液晶パネ
ル温度の連続的な変化に対して第１のγ値γ１と第２のγ値γ２とのそれぞれを連続的に変化させてもよい。液晶パネル温度の変化が基準温度を跨いで変化する場合に第１のγ値γ１と第２のγ値γ２とのそれぞれを変化させ、液晶パネル温度の変化が基準温度以上の温度範囲内での変化である場合に第１のγ値γ１と第２のγ値γ２とのそれぞれを変化させなくてもよい。
【００８８】
＜実施例４＞
以下、本発明の実施例４について説明する。実施例３では、液晶パネル温度に応じて、第１のγ値γ１と第２のγ値γ２とを設定する例を説明した。しかしながら、液晶パネル温度に応じて第１のγ値γ１と第２のγ値γ２とを制御することで、入力画像データ次第では二重像が顕著となる場合がある。したがって本実施例では、本実施例では、液晶パネル温度および入力画像データに応じて、第１のγ値γ１と第２のγ値γ２を設定する例を説明する。具体的には、二重像が見えやすい入力画像データであるかを入力画像データから事前に判定し、二重像が見えやすくない状況下においてのみ、実施例３と同様のγ値制御を行う。それにより、二重像の悪化を抑制しつつ、液晶パネル温度の高温化を抑制することが可能となる。なお、以下では、実施例３と異なる点（構成や処理）について詳しく説明し、実施例３と同じ点についての説明は省略する。
【００８９】
図１６は、本実施例に係る表示装置４０の構成例を示すブロック図である。表示装置４０は、画像取得部１０３、二重像判定部４０１、基準温度記憶部３０１、温度センサ検出部３０２、第１γ処理部１１０、第２γ処理部１１１、第１液晶パネル１０６、第２液晶パネル１０７、バックライトユニット１０５、制御部１０１、記憶部１０２を有する。なお、表示装置４０は、基準温度記憶部３０１、γ設定部１０８、第１γ処理部１１０、第２γ処理部１１１、等を有していなくてもよい。
【００９０】
二重像判定部４０１は、画像取得部１０３から出力される入力画像データを元に（入力画像データに応じて）、表示された入力画像データを人が視認した際に二重像が見えやすいか否かを判定（判断）する。換言すれば、二重像判定部４０１は、入力画像データを元に、二重像が見えやすい画像が表示されるかを判定する。そして、二重像判定部４０１は、その判定結果（二重像判定結果）をγ設定部１０８へ出力する。具体的には、二重像判定部４０１は、入力画像データに対して高速離散フーリエ変換（ＦＦＴ）を行い、空間周波数特性を計算する。ここで入力画像データ中の空間周波数のうち、最大となる値を最大空間周波数と呼ぶ。二重像判定部４０１は、この最大空間周波数が閾値以上であれば、二重像が見えやすい入力画像データであると判定して１を、そうでない場合は０を出力する。ここで閾値は、抑制したい二重像の程度に応じて、任意に設定できるものとする。閾値が大きい場合、二重像が比較的見えやすい状況下であっても、二重像判定部４０１は０を出力する。閾値が小さい場合、二重像が非常に見えにくい状況下でのみ、二重像判定部４０１は０を出力する。
【００９１】
γ設定部１０８は、基準温度記憶部３０１から出力される基準温度および、二重像判定部４０１から出力される二重像判定結果および、温度センサ検出部３０２から出力される液晶パネル温度に応じて、第１のγ値γ１と第２のγ値γ２とを決定する。そして、γ設定部１０８は、第１のγ値γ１を第１γ処理部１１０へ出力し、第２のγ値γ２を第２γ処理部１１１へ出力する。具体的には、γ設定部１０８は、二重像判定部４０１から出力された二重像判定結果が０、すなわち、二重像が見えにくい入力画像データである場合に限り、例えば、図１５のテーブルを用いて、第１のγ値γ１と第２のγ値γ２を決定する。二重像判定部４０１から出力された二重像判定結果が１、すなわち、二重像が見えやすい入力画像データである場合には、γ設定部１０８は、液晶パネル温度に基づかない他の方法で第１のγ値γ１と第２のγ値γ２とを決定する。例えば、γ設定部１０８は、第１のγ値γ１と第２のγ値γ２とを（共通または個別の）所定値に制御する。
【００９２】
以上述べたように、本実施例によれば、二重像が見えにくい入力画像データである場合に限り、液晶パネル温度に基づいて、第１のγ値γ１と第２のγ値γ２が設定される。それにより、第１のγ値γ１と第２のガンマ値γ２との変更により二重像が見えやすくなることを抑制しつつ、第１液晶パネル１０６の劣化の主要因である第１液晶パネル１０６の高温化を抑制することが可能となる。
【００９３】
なお、二重像判定部４０１において、二重像が見えやすい入力画像データであるかどうかを判定する方法として、最大空間周波数を用いると説明したが、判定方法はこれに限らない。例えば、画面内の平均輝度を用いて判定してもよい。
【００９４】
実施例１，２，３，４の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００９５】
実施例１，２，３，４はあくまで一例であり、本発明の要旨の範囲内で実施例１，２，３，４の構成を適宜変形したり変更したりすることにより得られる構成も、本発明に含まれる。実施例１，２，３，４の構成を適宜組み合わせて得られる構成も、本発明に含まれる。例えば、ユーザ操作に応じて伸縮パラメータが設定されてもよいし、入力画像データに応じて第１のγ値γ１と第２のγ値γ２とが設定されてもよい。
【００９６】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９７】
１０，１１，２０：表示装置  １０５：バックライトユニット
１０６：第１液晶パネル  １０７：第２液晶パネル
【図１】
2019086754.tif 000003
【図２】
2019086754.tif 000004
【図３】
2019086754.tif 000005
【図４】
2019086754.tif 000006
【図５】
2019086754.tif 000007
【図６】
2019086754.tif 000008
【図７】
2019086754.tif 000009
【図８】
2019086754.tif 000010
【図９】
2019086754.tif 000011
【図１０】
2019086754.tif 000012
【図１１】
2019086754.tif 000013
【図１２】
2019086754.tif 000014
【図１３】
2019086754.tif 000015
【図１４】
2019086754.tif 000016
【図１５】
2019086754.tif 000017
【図１６】
2019086754.tif 000018